(57)【要約】【課題】  漁獲期間，場所，漁法を客観的に証明するシステムを提供する。【解決手段】  漁獲証明処理装置１のデータ受信部１２は，漁船端末２から，航行中の漁船の位置履歴情報，漁船のエンジン，漁労設備の稼働履歴情報を取得する。魚種漁法特定部１３は，証明対象の魚種と漁法を特定し，証明条件判定部１４は，稼動履歴情報に，漁獲パターン情報データベース１１に設定された漁獲中の漁労設備の稼動パターンを満たす稼動状態が記録されている期間があるかを判定し，この期間を漁獲期間とし，位置履歴情報から，魚種漁獲パターンに合致した稼働状態の期間内の時刻における漁船の位置を漁獲場所として抽出する。証明書発行部１５は，漁獲期間，漁獲場所を特定した漁獲証明書４を出力する。【選択図】  図２
2008225614.tif 000002
【特許請求の範囲】
【請求項１】
コンピュータが，水産動植物の漁獲期間および漁獲場所を証明する漁獲証明処理方法であって，
航行中の漁船の位置が記録された位置履歴情報および当該漁船の漁労設備の稼動状態が記録された稼働履歴情報を取得する操業履歴取得ステップと，
所定の水産動植物を漁獲中の漁労設備の稼動パターンが設定された魚種漁獲パターン情報を記憶する漁獲パターン情報記憶部を参照し，前記稼動履歴情報に，前記魚種漁獲パターン情報の稼動パターンを満たす稼動状態が記録されている期間があるかを判定する漁獲パターン判定ステップと，
前記漁獲パターン判定ステップの判定結果にもとづいて，前記位置履歴情報から，前記魚種漁獲パターン情報に合致する稼働状態の期間内の時刻における位置を漁獲場所として抽出する漁獲場所抽出ステップとを備える
ことを特徴とする漁獲証明処理方法。
【請求項２】
前記漁獲パターン情報記憶部に，前記水産動植物の種ごとに所定の漁獲方法により漁獲中の漁労設備の稼動パターンが設定された漁法漁獲パターン情報が記憶されている場合に，証明対象として受け付けた水産動植物の種および漁獲方法に対応する漁法漁獲パターン情報を特定する魚種漁法特定ステップを備えるとともに，
前記漁獲パターン判定ステップでは，前記稼動履歴情報に，前記特定された漁法漁獲パターン情報を満たす稼動状態が記録されている期間があるかを判定し，
前記漁獲場所抽出ステップでは，前記漁獲パターン判定ステップの判定結果にもとづいて，前記位置履歴情報から，前記漁法漁獲パターン情報に合致する稼働状態の期間内の時刻における位置を漁獲場所として抽出する
ことを特徴とする請求項１に記載の漁獲証明処理方法。
【請求項３】
前記漁獲期間および前記漁獲場所における海洋状態を記録した海洋状態情報を取得する海洋状態取得ステップと，
前記漁獲場所抽出ステップで抽出された各位置の海洋状態情報の海洋状態を取り出し，前記水産動植物の漁獲が可能な海洋状態の範囲が設定された海洋状態最適範囲を記憶する最適範囲記憶部を参照し，前記各位置の海洋状態が当該海洋状態最適範囲内であるかを判定する最適範囲判定ステップとを備えるとともに，
前記漁獲場所抽出ステップでは，前記抽出した漁獲場所のなかから，前記海洋状態が前記海洋状態最適範囲内にある漁獲場所のみを抽出する
ことを特徴とする請求項１または請求項２のいずれか一項に記載の漁獲証明処理方法。
【請求項４】
前記水産動植物の漁獲に関し，前記漁獲期間および前記漁獲場所を特定する証明情報を出力する証明発行ステップを備える
ことを特徴とする請求項１ないし請求項３のいずれか一項に記載の漁獲証明処理方法。
【請求項５】
前記操業履歴取得ステップは，前記位置履歴情報として前記漁船で受信されたＧＰＳ情報を使用する場合に，前記ＧＰＳ情報を送信するＧＰＳ衛星の軌道情報を取得し，当該軌道情報から前記ＧＰＳ衛星の位置を算出し，当該算出したＧＰＳ衛星位置と前記位置履歴情報に含まれるＧＰＳ衛星の位置とを比較することによって当該位置履歴情報の改ざんの有無を判定する位置情報チェックステップを備えるとともに，
前記漁獲場所抽出ステップでは，前記位置情報チェックステップにおいて改ざんがあったものと判定された場合に，前記位置履歴情報を取得しなかったものとみなす
ことを特徴とする請求項１ないし請求項４のいずれか一項に記載の漁獲証明処理方法。
【請求項６】
水産動植物の漁獲期間および漁獲場所を証明する漁獲証明処理装置であって，
航行中の漁船の位置が記録された位置履歴情報および当該漁船の漁労設備の稼動状態が記録された稼働履歴情報を取得する操業履歴取得部と，
所定の水産動植物を漁獲中の漁労設備の稼動パターンが設定された魚種漁獲パターン情報を記憶する漁獲パターン情報記憶部と，
前記漁獲パターン情報記憶部を参照し，前記稼動履歴情報に，前記魚種漁獲パターン情報の稼動パターンを満たす稼動状態が記録されている期間があるかを判定する漁獲パターン判定部と，
前記漁獲パターン判定部の判定結果にもとづいて，前記位置履歴情報から，前記魚種漁獲パターン情報に合致する稼働状態の期間内の時刻における位置を漁獲場所として抽出する漁獲場所抽出部とを備える
ことを特徴とする漁獲証明処理装置。
【請求項７】
航行中の漁船の位置が記録された位置履歴情報および当該漁船の漁労設備の稼動状態が記録された稼働履歴情報を取得する操業履歴取得処理と，
所定の水産動植物を漁獲中の漁労設備の稼動パターンが設定された魚種漁獲パターン情報を記憶する漁獲パターン情報記憶部を参照し，前記稼動履歴情報に，前記魚種漁獲パターン情報の稼動パターンを満たす稼動状態が記録されている期間があるかを判定する漁獲パターン判定処理と，
前記漁獲パターン判定処理の判定結果にもとづいて，前記位置履歴情報から，前記魚種漁獲パターン情報に合致する稼働状態の期間内の時刻における位置を漁獲場所として抽出する漁獲場所抽出処理とを，
コンピュータに実行させるための漁獲証明処理プログラム。
【請求項８】
漁獲証明処理装置および漁船端末で構成される漁獲証明処理システムであって，
前記漁船端末は，
航行中の漁船の所定時における位置情報を取得し，位置履歴情報として記録する位置履歴情報取得部と，
前記漁船の漁労設備の稼動状態を経時的に取得し，稼働履歴情報として記録する操業履歴取得部と，
漁獲証明の対象とする水産動植物種，または水産動植物種と漁獲方法との組み合わせを指定した証明依頼，前記位置履歴情報および前記稼動履歴情報を前記漁獲証明処理装置へ送信する情報送信部とを備え，
前記漁獲証明処理装置は，
前記漁船の位置履歴情報および稼働履歴情報を取得する操業履歴取得部と，
水産動植物を漁獲中の漁労設備の稼動パターンが設定された魚種漁獲パターン情報を記憶する漁獲パターン情報記憶部と，
前記漁獲パターン情報記憶部を参照し，前記稼動履歴情報に，前記魚種漁獲パターン情報の稼動パターンを満たす稼動状態が記録されている期間があるかを判定する漁獲パターン判定部と，
前記漁獲パターン判定部の判定結果にもとづいて，前記位置履歴情報から，前記魚種漁獲パターン情報に合致する稼働状態の期間内の時刻における位置を漁獲場所として抽出する漁獲場所抽出部とを備える
ことを特徴とする漁獲証明処理システム。
【発明の詳細な説明】
【技術分野】
【０００１】
本発明は，水産動植物の漁獲地域および漁獲方法を証明する証明書の発行システムに関する。
【背景技術】
【０００２】
現在では農産物などのトレーサビリティ（追跡可能性）が充実してきており，消費者はより安全・安心な食品を求める傾向にある。
【０００３】
しかし，水産動植物（以下，単に「魚」という）の場合には，一般的に漁獲場所の追跡調査が困難であり，漁獲場所は，通常，漁船が実際に魚を漁獲した場所ではなく，その漁船が所属する漁協などが特定する水揚港を示すことが多い。実際の漁獲場所を特定する場合は，当該漁獲者の申告に頼らざるを得ず，漁獲者の善意にもとづいて特定しているというのが現状である。
【０００４】
また，近年の漁業状況では，魚の漁獲量の増大や売価の上昇が望めない。そのため，魚種のブランド化（差別化）を図り，市場での売価を高めて，漁業経営を安定させるという戦略が有望視されている。一般的に，同じ魚種であっても，漁獲場所・時期・漁法などによって魚の品質が左右されるため，漁獲場所・時期・漁法によって魚価が大きく違ってくるからである。したがって，できる限り高品質の魚をその品質を維持したまま市場に提供し，魚の品質を反映した取引ができるように，特許文献１，２のような技術が知られている。
【０００５】
特許文献１は，漁獲された魚の品質を示す品質情報を，経時的な自然劣化が始まる前に水揚げ漁港へ連絡し，この品質情報をもとに直ちに取引ができるようにして，魚の品質を担保しつつ，買い手のリスクを軽減することによって，魚の品質をより良く反映した取引を実現できる方法である。
【０００６】
特許文献２は，生産食料品などの生産地／加工場所を示すラベルを印刷するプリンタが，所定の生産地または加工場所に設置されている場合のみ，当該生産地を印刷できるようにすることによって，生産／加工地を偽装したラベル印刷を防止する印刷システムである。
【特許文献１】特開２００４−７８５７１号公報
【特許文献２】特開２００５−２４３０４１号公報
【発明の開示】
【発明が解決しようとする課題】
【０００７】
市場で要求されている魚のトレーサビリティの実現，市場で取引される魚の一定品質を示す「魚のブランド」の構築・維持のためには，その魚が，実際に漁獲された時期，場所（海域），漁獲方法（漁法）などを客観的に証明する仕組みが必要である。
【０００８】
しかし，従来は，魚の実際の漁獲場所は，魚の水揚漁港または漁獲者の自己申告にもとづいて特定された場所であり，何ら客観的に証明される場所ではなかった。そのため，漁獲場所が，容易に詐称されるおそれがあった。
【０００９】
例えば，特許文献１は，漁船から実際に漁獲した場所，日時，漁法などの情報を送信しているが，送信された情報がそのまま利用され，情報自体の真偽を判定する処理を行っていなかった。そのため，従来の，漁獲場所および漁法を自己申告する場合とかわりがなく，漁獲場所や漁法は，漁獲された魚の外観から推定するしかなかった。
【００１０】
また，特許文献２は，生産または加工品が生産・加工された実際の場所でないと印刷処理ができないため，不実記載の印刷を排除することが期待できる。しかし，印字事項を証明する処理は行われないため，漁獲場所や漁法を客観的に証明することができなかった。
【００１１】
本発明の目的は，漁獲場所，漁法によって差別化する「魚のブランド化」など，魚の一定品質を保証するために，また，魚のトレーサビリティを実現するために，魚の漁獲場所および漁法の証明を客観的に証明する仕組みを提供することである。
【課題を解決するための手段】
【００１２】
本発明は，コンピュータが，水産動植物（魚）の漁獲期間および漁獲場所を証明する処理方法であって，前記コンピュータは，航行中の漁船の位置が記録された位置履歴情報および当該漁船の漁労設備の稼動状態が記録された稼働履歴情報を取得すると，魚を漁獲中の漁労設備の稼動パターンが設定された魚種漁獲パターン情報を記憶する漁獲パターン情報記憶部を参照して，稼動履歴情報に魚種漁獲パターン情報の稼動パターンを満たす稼動状態が記録されている期間があるかを判定する。そして，この判定結果にもとづいて，位置履歴情報から，魚種漁獲パターンに合致する稼働状態の期間内の時刻における漁船の位置を漁獲場所として抽出することを特徴とする。
【００１３】
これにより，漁船の航行履歴の中から漁労設備が稼働中に位置していた場所を抽出して漁獲場所とするため，漁労従事者の自己申告に頼ることなく，正確かつ客観的な漁獲場所を特定することができる。
【００１４】
さらに，本発明にかかる処理方法を実行する前記コンピュータは，漁獲パターン情報記憶部に，魚種ごとに所定の漁獲方法により漁獲中の漁労設備の稼動パターンが設定された漁法漁獲パターン情報が記憶されている場合には，証明対象として受け付けた魚種および漁獲方法に対応する漁法漁獲パターン情報を特定する。そして，稼動履歴情報に，前記特定された漁法漁獲パターンが記録されている期間があるかを判定する。この判定結果にもとづいて，前記位置履歴情報から，前記漁法漁獲パターンに合致する稼働状態の期間内の時刻における位置を漁獲場所として抽出することを特徴とする。
【００１５】
これにより，特定の漁獲方法による漁獲が行われたこと，およびその漁獲場所を特定することができる。
【００１６】
さらに，本発明にかかる処理方法を実行する前記コンピュータは，漁獲期間および漁獲場所における海洋状態を記録した海洋状態情報を取得する。そして，抽出された各位置の海洋状態情報から海洋状態を取り出し，魚の漁獲が可能な海洋状態の範囲が設定された海洋状態最適範囲を記憶する最適範囲記憶部を参照し，海洋状態が海洋状態最適範囲内であるかを判定する。そして，位置履歴情報から抽出した漁獲場所から，その海洋状態が海洋状態最適範囲内である漁獲場所のみを抽出することを特徴とする。
【００１７】
これにより，漁船の位置履歴情報を用いて漁獲場所を特定し，さらに，その漁獲場所が，魚の漁獲が可能な海洋状態であるかを判定することができるため，ある魚の漁獲場所での漁獲をより正確に特定することができる。なお，海洋状態情報として海洋温度および海洋中のクロロフィル濃度を用いることができる。
【００１８】
さらに，本発明にかかる処理方法を実行する前記コンピュータは，魚の漁獲に関し，漁獲期間および漁獲場所を特定して漁獲を証明する証明情報を出力することを特徴とする。
【００１９】
これにより，特定の魚の漁獲について，漁獲期間および漁獲場所，さらには漁獲方法を客観的に証明する情報を出力することができるため，漁獲場所や漁獲方法により品質が異なる魚の品質保証を行う場合の判断材料を提供することができる。
【００２０】
また，漁獲期間，漁獲場所，または漁獲方法などが制限・禁止されているような魚を対象とする操業について，漁獲期間，漁獲場所，漁獲方法などの情報を取得することができるため，適切操業または資源保護の観点からの指導をすることができる。
【００２１】
さらに，本発明にかかる処理方法を実行する前記コンピュータは，位置履歴情報として漁船で受信されたＧＰＳ情報を使用する場合に，ＧＰＳ情報を送信したＧＰＳ衛星の軌道情報を取得し，軌道情報からＧＰＳ情報送信時のＧＰＳ衛星の位置を算出し，算出したＧＰＳ衛星の位置と位置履歴情報に記録されたＧＰＳ衛星の位置とを比較することによって当該位置履歴情報の改ざんの有無を判定する。そして，この判定結果によって情報の改ざんがあったものと判定された場合に，位置履歴情報を取得しなかったものとみなすことを特徴とする。
【００２２】
これにより，漁船の本来の漁獲場所をごまかす目的で偽の位置履歴情報が作成された場合に，漁獲場所の特定を行わないようにすることができる。
【００２３】
さらに，本発明は，前記漁獲証明処理方法を実行する処理部で構成される漁獲証明処理装置，前記処理方法により実現される処理をコンピュータに実行させるための漁獲証明処理プログラム，前記処理方法を実行する漁獲証明処理装置および漁船端末で構成される漁獲証明処理システムである。
【００２４】
前記漁獲証明処理プログラムは，コンピュータが読み取り可能な可搬媒体メモリ，半導体メモリ，ハードディスクなどの適当な記録媒体に格納することができ，これらの記録媒体に記録して提供され，または，通信インタフェースを介して種々の通信網を利用した送受信により提供される。
【発明の効果】
【００２５】
本発明によれば，魚の実際の漁獲場所（海域）および漁法を，航行中の漁船の位置，当該漁船の漁労設備の稼働状態の履歴，当該位置（海域）での対象（魚）の漁獲の可能性を示す海洋状態などをもとに，漁獲場所および漁法を客観的かつ精度良く特定することができる。よって，漁獲された魚に対して一定品質を証明するためのブランドを付与する際の判断材料を提供することができる。
【００２６】
また，本発明によれば，漁獲場所および漁法に関する客観的情報を収集することができるため，漁船の操業の追跡調査を行うことができる。よって，特定の魚の漁獲について禁止や制限がされている期間，区域，漁法などが行われたか否かを判断し，適切な漁獲であるか否かを知る判断材料を提供することができる。
【００２７】
このような判断材料を提供することによって，漁獲された魚の高価値化を可能にして漁労の経済的安定化を図ることができる。また，漁船の操業の適否を判断して，不正操業の監視，適切な操業の指導，安全な操業の奨励，水産資源の保護などを図ることができる。
【発明を実施するための最良の形態】
【００２８】
図１は，本発明の最良の実施形態における構成例を示す図である。
【００２９】
本発明にかかる漁獲証明処理システムは，漁獲証明処理装置１および漁船に搭載される漁船端末２を備える。漁船端末２は，ネットワーク３を介して漁獲証明処理装置１へデータを送信する。
【００３０】
漁獲証明処理装置１は，魚種，漁獲方法を指定して漁獲の証明を依頼した漁船の漁船端末２から，漁船の位置履歴情報，漁労設備の稼働履歴情報などを取得する。そして，取得した情報をもとに，当該漁船が操業（漁獲）した場所を特定し，指定された魚種および漁獲方法によって，特定した場所での漁獲が可能であるかを判定する。そして，特定された場所において，指定の魚種および漁獲方法による漁獲が可能であれば，この漁船の漁獲が指定された漁獲方法により，特定された場所で実行されたことを証明する情報である漁獲証明書４を出力する。なお，市場において証明対象の魚が取引される場合に，漁獲証明書４が所定形式で印刷され，当該魚の搬送容器などに貼付されて利用される。
【００３１】
図２は，漁獲証明処理装置１および漁船端末２の構成例を示す図である。
【００３２】
漁獲証明処理装置１は，ＣＰＵおよびメモリからなるコンピュータであり，ソフトウェアプログラムなどによって構成される漁獲パターン情報データベース１１，データ受信部１２，魚種漁法特定部１３，証明条件判定部１４，証明書発行部１５，海洋状態情報取得部１６，位置情報チェック部１７を備える。
【００３３】
漁獲パターン情報データベース１１は，魚種ごとの漁法が設定された魚種漁法情報，各魚種および漁法について，漁獲中の漁船のエンジンを含む漁労設備の稼動パターンによって該当する漁獲が実行されたことを判定する条件を示す魚種漁法別漁獲パターン情報，魚の漁獲が可能な海洋状態の範囲が設定された魚種別の海洋状態最適範囲情報を保存する処理部である。
【００３４】
図３は，魚種漁法情報のデータ構成例を示す図である。魚種漁法情報のデータテーブル（魚種漁法テーブル）１１ａには，魚種および漁法の組ごとに，魚種および漁法の組を識別する魚種漁法コード，魚種および漁法の組の名称（魚種漁法名），魚種を識別する魚種コード，魚種の名称（魚種名），漁法を識別する漁法コード，漁法の名称（漁法名），当該魚種および漁法による操業が許可される期間の開始月日および終了月日などが設定される。
【００３５】
図４は，魚種漁法別漁獲パターン情報のデータ構成例を示す図である。魚種漁法別漁獲パターン情報のデータテーブル（漁獲パターンテーブル）１１ｂは，魚種および漁法の組ごとに，魚種漁法コード，当該漁法で使用される漁船のエンジンや漁労設備を識別する設備コード，漁船のエンジン・漁労設備ごとに，当該設備で動作される処理を特定する設備処理番号，各設備で実行される処理での動作や状態などの判定条件のパターンを類型化して示すチェックパターン，判定処理で使用する値（チェックデータ）などが設定される。
【００３６】
図５は，海洋状態最適範囲情報のデータ構成例を示す図である。海洋状態最適範囲情報のデータテーブル（最適帯テーブル）１１ｃは，魚種ごとに，該当する期間を示す日時，漁獲が可能な海洋状態の範囲（最適範囲）の上限を示すレベル１上，同じく最適範囲の下限を示すレベル1下などが設定される。最適帯テーブル１１ｃは，同一の海洋状態について上限下限が異なる複数の最適範囲を，例えばレベル２，レベル３として設定することができる。その場合には，各最適範囲のレベルを示す上限および下限を，「レベル2上，レベル2下」，「レベル３上，レベル３下」のように設定する。
【００３７】
データ受信部１２は，漁船端末２から送信された，漁獲証明書４の発行依頼，操業履歴情報などを受信する。
【００３８】
発行依頼には，漁船の船舶番号，証明対象となる魚種，漁法，漁獲期間が含まれる。
【００３９】
操業履歴情報は，ＧＰＳ（全地球測位システム）を用いて漁船の位置の履歴を記録した位置履歴情報，漁船のエンジンの稼働状態の履歴を記録したエンジン稼働履歴情報，漁船に備えられた漁労設備の稼働状態の履歴を記録した漁労設備稼働履歴情報で構成される。
【００４０】
図６は，位置履歴情報のデータ構成例を示す図である。位置履歴情報２３ａには，漁船を識別する船舶固有の番号（船舶番号）とともに，受信したＧＰＳ信号の受信時刻（時間），緯度，経度，衛星位置情報（ＧＳＶ行）が記録される。緯度，経度は漁船の位置を特定するために，衛星位置情報は，位置情報チェック部１７による位置履歴情報の改ざんチェックのために使用される。
【００４１】
図７は，操業履歴情報のデータ構成例を示す図である。図７（Ａ）は，エンジン稼働履歴情報のデータ構成例である。エンジン稼働履歴情報２３ｂには，船舶番号，計測時間，エンジン回転数，ギアの状態を示すギア位置が記録される。ギア位置は，エンジン回転数とともに，漁船がドリフト状態（ギア位置＝ニュートラル（Ｎ））であるのか，前進しているのか（ギア位置＝１，２，３，…）などを判断し，漁労設備稼働履歴情報と合わせて，特定の漁法による漁獲が実行されているかを判定するために使用される。
【００４２】
図７（Ｂ）は漁労設備稼働履歴情報のデータ構成例である。漁労設備稼働履歴情報２３ｃには，船舶番号，制御信号が発行された時刻（発行時間），各漁労設備の信号を特定する漁労設備コード，各漁労設備が発行する制御信号（信号）が記録される。
【００４３】
漁労設備コードは，例えば，１＝投網機，２＝揚網用ウィンチと設定される。また，信号は，例えば，１＝設備の電源を投入（ＯＮ），３＝設備の電源断（ＯＦＦ），４＝投網動作開始，…のように設定される。各漁労設備の信号によって，稼働している漁労設備，稼働時の動作内容，動作期間などを特定する。これらの稼働状態を組み合わせた稼働パターンは，特定の漁法による漁獲が実行されているかを判定するために使用される。
【００４４】
魚種漁法特定部１３は，漁獲パターン情報データベース１１の魚種漁法テーブル１１ａを参照して，依頼された漁獲の魚種漁法を特定する。また，依頼された漁獲が操業許可の期間内に行われたものであるかを判定する。
【００４５】
証明条件判定部１４は，漁獲パターン情報データベース１１の漁獲パターンテーブル１１ｂおよび最適帯テーブル１１ｃを参照して，依頼された漁獲の漁獲期間，漁獲場所を特定する。
【００４６】
具体的に，証明条件判定部１４は，エンジン稼動履歴情報および漁労設備稼働履歴情報に，漁獲パターンテーブル１１ｂに設定されているチェックパターンおよびチェックデータを満たす稼動状態のパターンが記録されているかを判定し，該当する稼働状態が記録されていれば，その該当する期間（漁獲期間）を取得する。そして，位置履歴情報から取得した漁獲期間に対応する期間内の時刻における位置を抽出して漁獲場所とする。
【００４７】
さらに，証明条件判定部１４は，後述する海洋状態情報取得部１６によって海洋状態情報データベース５から取得された海洋状態情報を参照して，抽出した各位置の海洋状態が，最適帯テーブル１１ｃの最適範囲（レベル１〜３の設定値の範囲）内であるかを判定する。そして，最適範囲のレベル設定値の範囲内の海洋状態に対応する位置を漁獲場所として抽出する。
【００４８】
海洋状態情報は，海洋状態を計測する項目について，所定の区域の状態を示す情報である。本形態では，海面水温（摂氏温度（℃））およびクロロフィル濃度（モル（ｍｏｌ））を用いる。
【００４９】
図８は，海洋状態情報取得部１６によって取得される海洋状態情報のデータ構造例を示す図である。海洋状態情報には，当該データの送信元となる計測衛星を識別する計測衛星コードを示すデータ元，当該データが計測された時間，所定の計測項目ごとの計測値が設定されている。
【００５０】
図９は，計測項目「海面水温」を，ある日時の海面水温を等温度線で表示した場合のデータ例，図１０は，計測項目「クロロフィル濃度」を，ある日時のクロロフィル濃度を等濃度線で表示した場合のデータ例を示す図である。
【００５１】
証明書発行部１５は，依頼された魚および漁獲方法による漁獲について，証明対象となる漁獲期間および漁獲場所を特定した漁獲証明書４を出力する。
【００５２】
漁獲証明書４では，指定された漁獲した魚種，漁法について，漁獲が行われたと特定された漁獲期間（漁獲開始日時，漁獲終了日時）および漁獲場所（緯度経度），漁船が当該漁獲場所にいた時の水温などを特定する。また，操業した者（漁業者），漁船名，出漁漁港，出漁時刻，水揚漁港，水揚時刻，航行距離を記録してもよい。
【００５３】
海洋状態情報取得部１６は，外部の海洋状態情報データベース５から，図８に示すような海洋状態情報を取得する。
【００５４】
位置情報チェック部１７は，外部の衛星軌道情報データベース６から，ＧＰＳ（全地球測位システム）のＧＰＳ衛星の軌道情報を取得し，この起動情報から位置履歴情報のＧＰＳ情報に関連するＧＰＳ衛星の当該情報の送信時の位置を算出し，算出したＧＰＳ衛星の位置と，位置履歴情報の衛星位置情報に記録されている位置とを比較して，位置履歴情報の改ざんの有無を判定する。比較結果が矛盾すれば，情報の改ざんがあったものと判定し，証明条件判定部１４は，証明条件判定処理を行わずに終了する。
【００５５】
漁船端末２は，ＣＰＵおよびメモリからなるコンピュータであり，ソフトウェアプログラムなどによって構成されるＧＰＳ受信部２１，漁労設備制御信号取得部２２，操業履歴情報記憶部２３，発行依頼生成部２４，データ送信部２５を備える。
【００５６】
ＧＰＳ受信部２１は，所定時ごとに，ＧＰＳ信号を受信し，操業履歴情報記憶部２３に位置履歴情報２３ａとして格納する。
【００５７】
漁労設備制御信号取得部２２は，漁船エンジン，漁労設備から，各漁労設備が発行した制御信号を取得し，操業履歴情報記憶部２３にエンジン稼働履歴情報２３ｂ，漁労設備稼働履歴情報２３ｃとして格納する。
【００５８】
発行依頼生成部２４は，漁獲した魚種，漁法などを特定して，漁獲証明書４の発行依頼を生成する。
【００５９】
データ送信部２５は，ネットワーク３または記憶媒体を介して，証明発行依頼，位置履歴情報２３ａ，エンジン稼働履歴情報２３ｂ，漁労設備稼働履歴情報２３ｃを漁獲証明処理装置１へ送信する。
【００６０】
図１１は，漁船端末２の処理の流れを示す図である。
【００６１】
漁船端末２では，ＧＰＳ受信部２１によって収集された位置履歴情報（ＧＰＳデータ）２３ａ，漁労設備制御信号取得部２２によって収集されたエンジン稼働履歴情報（漁船エンジンの回転数，ギア位置など）２３ｂ，および漁労設備稼働履歴情報（各漁労設備の制御信号，値など）２３ｃが，それぞれ操業履歴情報記憶部２３に蓄積される（ステップＳ１）。
【００６２】
発行依頼生成部２４は，証明書発行依頼画面１００を表示して，所定の情報が入力されると，漁獲証明書４の発行依頼を生成する（ステップＳ２）。
【００６３】
図１２は，証明書発行依頼画面１００の表示例を示す図である。証明書発行依頼画面１００には，証明対象となる漁獲が行われた操業期間を入力する証明日時指定欄１０１，証明対象となる魚種および漁法の組み合わせを選択する魚種漁法指定欄１０２が設けられ，これらの欄に所定の入力があり，依頼ボタン１０３が押下されると，船舶番号，操業期間，魚種および漁法を含む発行依頼が生成される。
【００６４】
なお，キャンセルボタン１０４が押下されると，証明日時指定欄１０１および魚種漁法指定欄１０２の入力がキャンセルされる。終了ボタン１０５が押下されると，漁船端末２での処理が終了する。
【００６５】
データ送信部２５は，ステップＳ２の処理で生成された発行依頼と，操業履歴情報記憶部２３に蓄積された操業履歴情報とをネットワーク３を介して漁獲証明処理装置１へ送信する（ステップＳ３）。
【００６６】
図１３は，漁獲証明処理装置１の処理の流れを示す図である。
【００６７】
漁獲証明処理装置１では，データ受信部１２が，漁船端末２から送信された漁獲証明書４の発行依頼と操業履歴情報を受信し，受信データ記憶部１２′（図２に図示しない）に格納する（ステップＳ５）。
【００６８】
魚種漁法特定部１３は，漁獲パターン情報データベース１１の魚種漁法テーブル１１ａを参照して，発行依頼された漁獲で対象となる魚種を識別し，発行依頼にかかる操業期間が，当該魚種の操業許可期間内となっているかを特定する（ステップＳ６）。そして，証明の対象となる魚種の漁法を識別し，発行依頼にかかる操業期間が，当該漁法による操業許可期間内となっているかを特定する（ステップＳ７）。ステップＳ６またはＳ７のいずれかの処理で，証明対象の魚種，漁法であれば，次のステップＳ８の処理へ進み，証明対象として認められない魚種，漁法であれば，以降の処理は行われない。
【００６９】
証明条件判定部１４は，発行依頼された漁獲の証明を行うか否かの判定処理を行う（ステップＳ８）。
【００７０】
図１４は，イカ釣り漁法による漁獲の場合の証明判定処理の詳細処理フロー図である。
【００７１】
位置情報チェック部１７は，位置履歴情報２３ａの各位置情報について改ざんの有無をチェックする（ステップＳ２０）。位置情報チェック部１７は，衛星軌道情報データベース６からＧＰＳ衛星の軌道情報を取得し，取得した衛星軌道情報から，位置履歴情報から取り出した衛星位置情報の受診日時におけるＧＰＳ衛星の位置を算出する。
【００７２】
そして，位置履歴情報の衛星位置情報と算出した位置情報とが矛盾しなければ（ステップＳ２１のＹＥＳ），位置履歴情報は改ざんされていないものと判定し，ステップＳ２２の処理へ進む。一方，両者が矛盾すれば（ステップＳ２１のＮＯ），当該位置情報は改ざんされているものと判定して，証明不可を出力し（ステップＳ２１０），処理を終了する。
【００７３】
証明条件判定部１４は，エンジン稼動履歴情報２３ｂ，漁労設備稼動履歴情報２３ｃを取得する（ステップＳ２２）。そして，漁労設備稼動履歴情報２３ｃから，イカ釣り機，集魚灯の電源ＯＮがあるかを判定し（ステップＳ２３），イカ釣り機，集魚灯の電源がＯＮであれば（ステップＳ２３のＹＥＳ），さらに，位置履歴情報２３ａをもとに，漁労設備稼動履歴情報２３ｃで特定したイカ釣り機と集魚灯の電源ＯＮから電源ＯＦＦまでの時間帯（電源ＯＮ時間帯）にドリフト状態が存在するかを判定する（ステップＳ２４）。ドリフト状態は，位置履歴情報２３ａの位置について，当該電源ＯＮ時間帯に対応する時間帯に漁船の位置の移動が一定の距離内にあるかで判断する。漁船の位置の移動が一定の距離以内であればドリフト状態が存在すると判定する。
【００７４】
ドリフト状態が存在すれば（ステップＳ２４のＹＥＳ），エンジン稼動履歴情報２３ｂをもとに，当該電源ＯＮ時間帯のエンジン回転数およびギア位置が適切か（所定のエンジン回転数かつギア位置がニュートラル）を判定する（ステップＳ２５）。エンジン回転数およびギア位置が適切であれば（ステップＳ２５のＹＥＳ），最適帯の判定処理を行う（ステップＳ２６）。
【００７５】
図１５は，最適帯の判定処理の処理フロー図である。
【００７６】
証明条件判定部１４は，位置履歴情報（ＧＰＳデータ）２３ａから，当該電源ＯＮ時間帯の漁船の「位置（時間，緯度，経度）」を取得する（ステップＳ３０）。海洋状態情報取得部１６は，ステップＳ３０で取得した「緯度，経度」を，海洋状態情報データベース５の海洋状態情報で使用される座標に変換する。そして，取得した「時間」に最も近い時刻に受信された計測時刻および座標の海洋状態情報（海面水温とクロロフィル濃度）を抽出する（ステップＳ３１）。
【００７７】
そして，抽出した海面水温とクロロフィル濃度が，該当する魚種の最適帯テーブル１１ｃに設定された海面水温とクロロフィル濃度の最適帯（設定範囲）内かを調べる（ステップＳ３２）。海面水温とクロロフィル濃度の値が最適帯内であれば（ステップＳ３３のＹＥＳ），「範囲内」を返し（ステップＳ３４），海面水温とクロロフィル濃度の値が最適帯内でなければ（ステップＳ３３のＮＯ），「範囲外」を返す（ステップＳ３５）。
【００７８】
ステップＳ２６の最適帯の判定処理の結果が「範囲内」（最適帯内）であれば（ステップＳ２７のＹＥＳ），当該電源ＯＮ時間帯を漁獲期間とし，位置履歴情報の位置のうち当該電源ＯＮ時間帯に対応する時間帯の位置を漁獲場所として出力する（ステップＳ２８）。そして，漁労設備稼動履歴情報２３ｃの以降の稼働状態に，漁労設備の次の電源ＯＮ時間帯が存在するかを判定する（ステップＳ２９）。次の電源ＯＮ時間帯が存在すれば（ステップＳ２９のＹＥＳ），ステップＳ２３の処理へ戻り，次の電源ＯＮ時間帯についてステップＳ２３〜ステップＳ２９の処理を繰り返す。一方，次の電源ＯＮ時間帯が存在しなければ（ステップＳ２９のＮＯ），処理を終了する。
【００７９】
また，ステップＳ２３〜２５，Ｓ２７の処理のいずれかの処理において判定結果がＮＯであれば，ステップＳ２９の処理へ進む。
【００８０】
そして，証明書発行部１５は，ステップＳ８の処理で出力された漁獲期間および漁獲場所を用いて，漁獲証明書４を出力する（ステップＳ９）。
【００８１】
証明判定処理を，魚種の具体例により説明する。
〔イカの場合〕
イカ釣りによる漁獲は，以下の条件を満たす場合に証明される。
【００８２】
・イカ釣り機が電源ＯＮである，
・集魚灯点灯のためにエンジンが一定の回転数になっている，
・ドリフト状態を維持するために，ギア位置がニュートラルである，
・漁船の位置が，イカ釣り漁法に適した海洋状態（海面水温，クロロフィル濃度）の海域にいる。
【００８３】
図１６は，漁獲パターン情報データベース１１に保存されている魚種漁法テーブル１１ａの例を示す図である。図１３のステップＳ６，Ｓ７の処理において，例えば，２００６年９月３日１４：００から同月４日９：００にかけて行われたイカ釣り漁法による操業（イカの漁獲）が証明対象となっている場合に，図１６の魚種漁法テーブル１１ａで，この魚種および漁法による操業が操業許可期間内であると判定するので，図１３のステップＳ８の処理へ進む。
【００８４】
図１７は，漁獲パターンテーブル１１ｂの例を示す図である。図１７の漁獲パターンテーブル１１ｂでは，魚種漁法コード＝１（イカ釣り漁）における各漁労設備の処理ごとの判定条件として，チェックパターン，チェックデータが以下のように設定されている。
【００８５】
「漁労設備コード＝０（エンジン）の設備処理＝１（駆動）では，エンジン回転数が４０００〜５０００の間であること；漁労設備コード＝１０（集魚灯）の設備処理＝１（駆動）では，信号１（ＯＮ），信号３（ＯＦＦ）の順で発行され，その間隔が２０分以上であること；漁労設備コード＝１１（イカ釣り機）の設備処理＝１（駆動）では，信号１（ＯＮ），信号３（ＯＦＦ）の順で発行され，その間隔が２０分以上であること」
図１８は，位置履歴情報２３ａの例を示す図である。位置履歴情報２３ａには，船舶番号＝１の漁船で，所定時刻（時間）ごとに受信したＧＰＳ信号の緯度，経度，衛星位置情報（全メッセージ数，メッセージ番号，受信可能衛星数，衛星番号，仰角，方位，信号対雑音比（ＳＮＲ），チェックサムなどのＧＳＶ）が記録されている。
【００８６】
図１９は，エンジン稼働履歴情報２３ｂの例を示す図である。エンジン稼働履歴情報２３ｂには，船舶番号＝１の漁船のエンジンの稼動について，所定時ごとに計測されたエンジン回転数，ギア位置が記録されている。
【００８７】
図２０は，漁労設備稼働履歴情報２３ｃを示す図である。漁労設備稼働履歴情報２３ｃには，船舶番号＝１の漁船の漁労設備コード＝１１（イカ釣り機）で発行された漁労発行信号および，信号発行時刻（時間）が記録されている。
【００８８】
図２０の漁労設備稼働履歴情報２３ｃで，イカ釣り機（１１）で，時間＝２００６／９／３，１９：００に漁労発行信号＝１（電源ＯＮ）が発行され，時間＝２００６／９／３，２２：１２に漁労発行信号＝３（電源ＯＦＦ）が発行されたことが分かる。漁労発行信号１，３の間隔が２０分以上であるため，イカ釣り機の稼動状態は，図１７の漁獲パターンテーブル１１ｂのチェックパターン，チェックデータを満たし，この期間（電源ＯＮ時間帯）にイカ釣り機が稼動中であったと判定される。集魚灯も，漁獲パターンテーブル１１ｂのチェックパターン，チェックデータを満たし，稼動中と判定されたと仮定する。
【００８９】
さらに，図１９のエンジン稼働履歴情報２３ｂの記録から，当該電源ＯＮ時間帯に，エンジン回転数（５０００）とギア位置（ニュートラル（Ｎ））が，図１７の漁獲パターンテーブル１１ｂのチェックパターン，チェックデータを満たしていると判定される。
【００９０】
また，図１８の位置履歴情報２３ａから，当該電源ＯＮ時間帯の漁船の移動距離が，一定の範囲内であれば，ドリフト状態と判定される。
【００９１】
このように，漁船の位置の変化，エンジンおよび漁労設備の稼動状態から，当該電源ＯＮ時間帯が稼動期間と特定される。なお，図１９のエンジン稼働履歴情報２３ｂで，エンジン回転数（６０００以上），ギア位置（２，４など）の状態であれば，漁船が前進している（移動中）と推定される。
【００９２】
図２１は，最適帯テーブル１１ｃの例を示す図である。図２２は，海洋状態情報データベース５から取得された海洋状態情報１１ｄの例を示す図である。
【００９３】
位置履歴情報２３ａから，稼動期間内の位置（時間，緯度，経度）が取り出され，この情報をもとに，海洋状態情報１１ｄから，該当する日時および場所（座標）の海面水温，クロロフィル濃度が取得される。そして，海面水温およびクロロフィル濃度が，図２１の最適帯テーブル１１ｃに設定された最適帯内であれば，該当する魚種の漁獲が可能であるので，その場所が漁獲場所として特定される。
【００９４】
図２３は，漁獲証明書４の出力例を示す図である。漁獲証明書４として，証明対象となる魚種・漁法，漁船名，漁獲期間（漁獲開始日時，漁獲終了日時），漁獲場所（緯度，経度），海洋状態情報（水温）などが出力される。
〔サンマの場合〕
サンマ棒受け網漁法による漁獲は，以下の条件を満たす場合に証明される。
【００９５】
・棒受け網用設備が電源ＯＮである，
・集魚灯点灯のためにエンジンが一定の回転数になっている，
・ドリフト状態を維持するために，ギア位置がニュートラルである，
・漁船の位置が，サンマ棒受け網漁法に適した海洋状態（海面水温，クロロフィル濃度）の海域にいる。
【００９６】
図２４は，サンマ棒受け網漁法による漁獲の証明判定処理の処理フローである。
【００９７】
図２４のステップＳ４０〜Ｓ４２，Ｓ４４〜Ｓ４１０の処理は，図１４のステップＳ２０〜Ｓ２２，Ｓ２４〜Ｓ２１０の処理と同様である。
【００９８】
ステップＳ４３では，証明条件判定部１４は，漁労設備稼動履歴情報２３ｃから，棒受け網用設備，集魚灯の電源ＯＮがあるかを判定する。棒受け網用設備，集魚灯の電源ＯＮであれば（ステップＳ４３のＹＥＳ），次のステップＳ４４へ進む。
〔カツオの場合〕
カツオ一本釣り漁法による漁獲は，以下の条件を満たす場合に証明される。
【００９９】
・漁船の速度を一定範囲内にするために，エンジン回転数が一定範囲内，ギア位置が低速位置である，
・散水設備の電源がＯＮである，
・漁船の位置が，カツオ一本釣り漁法に適した海洋状態（海面水温，クロロフィル濃度）の海域にいる。
【０１００】
図２５は，カツオ一本釣り漁法による漁獲の証明判定処理の処理フローである。
【０１０１】
図２５のステップＳ５０〜Ｓ５２，Ｓ５６〜Ｓ５１０の処理は，図１４のステップＳ２０〜Ｓ２２，Ｓ２６〜Ｓ２１０の処理と同様である。
【０１０２】
ステップＳ５３では，証明条件判定部１４は，漁労設備稼動履歴情報２３ｃから，散水設備の電源ＯＮがあるかを判定する。散水設備の電源ＯＮであれば（ステップＳ５３のＹＥＳ），位置履歴情報２３ａをもとに，散水設備の電源ＯＮから電源ＯＦＦまでの時間帯に，漁船の位置の移動が一定の範囲内の距離であるか，すなわち，漁船が一定速度以下で前進しているかを判定する（ステップＳ５４）。漁船が一定速度以下で前進していれば（ステップＳ５４のＹＥＳ），次のステップＳ５６へ進む。
【０１０３】
図２６は，位置情報チェック処理（図１４：ステップＳ２０，Ｓ２１など）の処理フロー図である。位置情報チェック部１７は，位置履歴情報２３ａから，チェック対象とするＧＰＳデータ（時間，緯度，経度，チェックデータ）を取得すると（ステップＳ６０），ＧＰＳ衛星の軌道情報（パラメータ）と位置履歴情報から，観測されるべき衛星および衛星の仰角を求める（ステップＳ６１）。求めた衛星およびその仰角が，位置履歴情報の該当するデータのチェックデータの仰角と一致するかを調べる（ステップＳ６２）。両者が一致すれば（ステップＳ６３のＹＥＳ），次のチェック対象（位置）が存在するかを調べ（ステップＳ６４），チェック対象が存在すれば（ステップＳ６４のＹＥＳ），ステップＳ６０の処理へ戻る。チェック対象が存在しなければ（ステップＳ６４のＮＯ）処理を終了する。一方，両者が一致しなければ（ステップＳ６３のＮＯ），証明不可を出力して（ステップＳ６５），処理を終了する。
【０１０４】
以上，本発明をその実施の形態により説明したが，本発明はその主旨の範囲において種々の変形が可能であることは当然である。
【０１０５】
例えば，本発明の実施の形態では，証明処理において，漁獲が可能な海洋状態の計測に，海面水温およびクロロフィル濃度を用いたが，海洋状態の判断に用いる情報はこれに限られない。
【０１０６】
本発明の形態および実施例の特徴を列記すると以下のとおりである。
【０１０７】
（付記１）
コンピュータが，水産動植物の漁獲期間および漁獲場所を証明する漁獲証明処理方法であって，
航行中の漁船の位置が記録された位置履歴情報および当該漁船の漁労設備の稼動状態が記録された稼働履歴情報を取得する操業履歴取得ステップと，
所定の水産動植物を漁獲中の漁労設備の稼動パターンが設定された魚種漁獲パターン情報を記憶する漁獲パターン情報記憶部を参照し，前記稼動履歴情報に，前記魚種漁獲パターン情報の稼動パターンを満たす稼動状態が記録されている期間があるかを判定する漁獲パターン判定ステップと，
前記漁獲パターン判定ステップの判定結果にもとづいて，前記位置履歴情報から，前記魚種漁獲パターン情報に合致する稼働状態の期間内の時刻における位置を漁獲場所として抽出する漁獲場所抽出ステップとを備える
ことを特徴とする漁獲証明処理方法。
【０１０８】
（付記２）
前記漁獲パターン情報記憶部に，前記水産動植物の種ごとに所定の漁獲方法により漁獲中の漁労設備の稼動パターンが設定された漁法漁獲パターン情報が記憶されている場合に，証明対象として受け付けた水産動植物の種および漁獲方法に対応する漁法漁獲パターン情報を特定する魚種漁法特定ステップを備えるとともに，
前記漁獲パターン判定ステップでは，前記稼動履歴情報に，前記特定された漁法漁獲パターン情報を満たす稼動状態が記録されている期間があるかを判定し，
前記漁獲場所抽出ステップでは，前記漁獲パターン判定ステップの判定結果にもとづいて，前記位置履歴情報から，前記漁法漁獲パターン情報に合致する稼働状態の期間内の時刻における位置を漁獲場所として抽出する
ことを特徴とする前記付記１に記載の漁獲証明処理方法。
【０１０９】
（付記３）
前記漁獲期間および前記漁獲場所における海洋状態を記録した海洋状態情報を取得する海洋状態取得ステップと，
前記漁獲場所抽出ステップで抽出された各位置の海洋状態情報の海洋状態を取り出し，前記水産動植物の漁獲が可能な海洋状態の範囲が設定された海洋状態最適範囲を記憶する最適範囲記憶部を参照し，前記各位置の海洋状態が当該海洋状態最適範囲内であるかを判定する最適範囲判定ステップとを備えるとともに，
前記漁獲場所抽出ステップでは，前記抽出した漁獲場所のなかから，前記海洋状態が前記海洋状態最適範囲内にある漁獲場所のみを抽出する
ことを特徴とする前記付記１または前記付記２のいずれか一項に記載の漁獲証明処理方法。
【０１１０】
（付記４）
前記水産動植物の漁獲に関し，前記漁獲期間および前記漁獲場所を特定する証明情報を出力する証明発行ステップを備える
ことを特徴とする前記付記１ないし前記付記３のいずれか一項に記載の漁獲証明処理方法。
【０１１１】
（付記５）
前記操業履歴取得ステップは，前記位置履歴情報として前記漁船で受信されたＧＰＳ情報を使用する場合に，前記ＧＰＳ情報を送信するＧＰＳ衛星の軌道情報を取得し，当該軌道情報から前記ＧＰＳ衛星の位置を算出し，当該算出したＧＰＳ衛星位置と前記位置履歴情報に含まれるＧＰＳ衛星の位置とを比較することによって当該位置履歴情報の改ざんの有無を判定する位置情報チェックステップを備えるとともに，
前記漁獲場所抽出ステップでは，前記位置情報チェックステップにおいて改ざんがあったものと判定された場合に，前記位置履歴情報を取得しなかったものとみなす
ことを特徴とする前記付記１ないし前記付記４のいずれか一項に記載の漁獲証明処理方法。
【０１１２】
（付記６）
水産動植物の漁獲期間および漁獲場所を証明する漁獲証明処理装置であって，
航行中の漁船の位置が記録された位置履歴情報および当該漁船の漁労設備の稼動状態が記録された稼働履歴情報を取得する操業履歴取得部と，
所定の水産動植物を漁獲中の漁労設備の稼動パターンが設定された魚種漁獲パターン情報を記憶する漁獲パターン情報記憶部と，
前記漁獲パターン情報記憶部を参照し，前記稼動履歴情報に，前記魚種漁獲パターン情報の稼動パターンを満たす稼動状態が記録されている期間があるかを判定する漁獲パターン判定部と，
前記漁獲パターン判定部の判定結果にもとづいて，前記位置履歴情報から，前記魚種漁獲パターン情報に合致する稼働状態の期間内の時刻における位置を漁獲場所として抽出する漁獲場所抽出部とを備える
ことを特徴とする漁獲証明処理装置。
【０１１３】
（付記７）
前記漁獲パターン情報記憶部に，前記水産動植物の種ごとに所定の漁獲方法により漁獲中の漁労設備の稼動パターンが設定された漁法漁獲パターン情報が記憶されている場合に，証明対象として受け付けた水産動植物の種および漁獲方法に対応する漁法漁獲パターン情報を特定する魚種漁法特定部を備えるとともに，
前記漁獲パターン判定部は，前記稼動履歴情報に，前記特定された漁法漁獲パターン情報を満たす稼動状態が記録されている期間があるかを判定し，
前記漁獲場所抽出部は，前記漁獲パターン判定部の判定結果にもとづいて，前記位置履歴情報から，前記漁法漁獲パターン情報に合致する稼働状態の期間内の時刻における位置を漁獲場所として抽出する
ことを特徴とする前記付記６に記載の漁獲証明処理装置。
【０１１４】
（付記８）
前記漁獲期間および前記漁獲場所における海洋状態を記録した海洋状態情報を取得する海洋状態取得部と，
前記漁獲場所抽出部で抽出された各位置の海洋状態情報の海洋状態を取り出し，前記水産動植物の漁獲が可能な海洋状態の範囲が設定された海洋状態最適範囲を記憶する最適範囲記憶部を参照し，前記位置の海洋状態が当該海洋状態最適範囲内であるかを判定する最適範囲判定部とを備えるとともに，
前記漁獲場所抽出部は，前記抽出した漁獲場所のなかから，前記海洋状態が前記海洋状態最適範囲内にある漁獲場所のみを抽出する
ことを特徴とする前記付記６または前記付記７のいずれか一項に記載の漁獲証明処理装置。
【０１１５】
（付記９）
前記水産動植物の漁獲に関し，前記漁獲期間および前記漁獲場所を特定する証明情報を出力する証明発行部を備える
ことを特徴とする前記付記６ないし前記付記８のいずれか一項に記載の漁獲証明処理装置。
【０１１６】
（付記１０）
航行中の漁船の位置が記録された位置履歴情報および当該漁船の漁労設備の稼動状態が記録された稼働履歴情報を取得する操業履歴取得処理と，
所定の水産動植物を漁獲中の漁労設備の稼動パターンが設定された魚種漁獲パターン情報を記憶する漁獲パターン情報記憶部を参照し，前記稼動履歴情報に，前記魚種漁獲パターン情報の稼動パターンを満たす稼動状態が記録されている期間があるかを判定する漁獲パターン判定処理と，
前記漁獲パターン判定処理の判定結果にもとづいて，前記位置履歴情報から，前記魚種漁獲パターン情報に合致する稼働状態の期間内の時刻における位置を漁獲場所として抽出する漁獲場所抽出処理とを，
コンピュータに実行させるための漁獲証明処理プログラム。
【０１１７】
（付記１１）
前記コンピュータに，
前記漁獲パターン情報記憶部に，前記水産動植物の種ごとに所定の漁獲方法により漁獲中の漁労設備の稼動パターンが設定された漁法漁獲パターン情報が記憶されている場合に，証明対象として受け付けた水産動植物の種および漁獲方法に対応する漁法漁獲パターン情報を特定する魚種漁法特定処理を実行させるとともに，
前記漁獲パターン判定処理では，前記稼動履歴情報に，前記特定された漁法漁獲パターン情報を満たす稼動状態が記録されている期間があるかを判定し，
前記漁獲場所抽出処理では，前記漁獲パターン判定処理の判定結果にもとづいて，前記位置履歴情報から，前記漁法漁獲パターン情報に合致する稼働状態の期間内の時刻における位置を漁獲場所として抽出する
ことを特徴とする前記付記１０に記載の漁獲証明処理プログラム。
【０１１８】
（付記１２）
前記コンピュータに，
前記漁獲期間および前記漁獲場所における海洋状態を記録した海洋状態情報を取得する海洋状態取得処理と，
前記漁獲場所抽出処理で抽出された各位置の海洋状態情報の海洋状態を取り出し，前記水産動植物の漁獲が可能な海洋状態の範囲が設定された海洋状態最適範囲を記憶する最適範囲記憶部を参照し，前記位置の海洋状態が当該海洋状態最適範囲内であるかを判定する最適範囲判定処理とを実行させるとともに，
前記漁獲場所抽出処理では，前記抽出した漁獲場所のなかから，前記海洋状態が前記海洋状態最適範囲内にある漁獲場所のみを抽出する
ことを特徴とする前記付記１０または前記付記１１のいずれか一項に記載の漁獲証明処理プログラム。
【０１１９】
（付記１３）
前記コンピュータに，
前記水産動植物の漁獲に関し，前記漁獲期間および前記漁獲場所を特定する証明情報を出力する証明発行処理とを実行させる
ことを特徴とする前記付記１０ないし前記付記１２のいずれか一項に記載の漁獲証明処理プログラム。
【０１２０】
（付記１４）
漁獲証明処理装置および漁船端末で構成される漁獲証明処理システムであって，
前記漁船端末は，
航行中の漁船の所定時における位置情報を取得し，位置履歴情報として記録する位置履歴情報取得部と，
前記漁船の漁労設備の稼動状態を経時的に取得し，稼働履歴情報として記録する操業履歴取得部と，
漁獲証明の対象とする水産動植物種，または水産動植物種と漁獲方法との組み合わせを指定した証明依頼，前記位置履歴情報および前記稼動履歴情報を前記漁獲証明処理装置へ送信する情報送信部とを備え，
前記漁獲証明処理装置は，
前記漁船の位置履歴情報および稼働履歴情報を取得する操業履歴取得部と，
水産動植物を漁獲中の漁労設備の稼動パターンが設定された魚種漁獲パターン情報を記憶する漁獲パターン情報記憶部と，
前記漁獲パターン情報記憶部を参照し，前記稼動履歴情報に，前記魚種漁獲パターン情報の稼動パターンを満たす稼動状態が記録されている期間があるかを判定する漁獲パターン判定部と，
前記漁獲パターン判定部の判定結果にもとづいて，前記位置履歴情報から，前記魚種漁獲パターン情報に合致する稼働状態の期間内の時刻における位置を漁獲場所として抽出する漁獲場所抽出部とを備える
ことを特徴とする漁獲証明処理システム。
【０１２１】
（付記１５）
前記漁獲証明処理装置は，
前記漁獲パターン情報記憶部に，前記水産動植物の種ごとに所定の漁獲方法により漁獲中の漁労設備の稼動パターンが設定された漁法漁獲パターン情報が記憶されている場合に，証明対象として受け付けた水産動植物の種および漁獲方法に対応する漁法漁獲パターン情報を特定する魚種漁法特定部を備えるとともに，
前記漁獲パターン判定部は，前記稼動履歴情報に，前記特定された漁法漁獲パターン情報を満たす稼動状態が記録されている期間があるかを判定し，
前記漁獲場所抽出部は，前記漁獲パターン判定部の判定結果にもとづいて，前記位置履歴情報から，前記漁法漁獲パターン情報に合致する稼働状態の期間内の時刻における位置を漁獲場所として抽出する
ことを特徴とする前記付記１４に記載の漁獲証明処理システム。
【０１２２】
（付記１６）
前記漁獲証明処理装置は，
前記漁獲期間および前記漁獲場所における海洋状態を記録した海洋状態情報を取得する海洋状態取得部と，
前記漁獲場所抽出部で抽出された各位置の海洋状態情報の海洋状態を取り出し，前記水産動植物の漁獲が可能な海洋状態の範囲が設定された海洋状態最適範囲を記憶する最適範囲記憶部を参照し，前記位置の海洋状態が当該海洋状態最適範囲内であるかを判定する最適範囲判定部とを備えるとともに，
前記漁獲場所抽出部は，前記抽出した漁獲場所のなかから，前記海洋状態が前記海洋状態最適範囲内にある漁獲場所のみを抽出する
ことを特徴とする前記付記１４または前記付記１５のいずれか一項に記載の漁獲証明処理システム。
【０１２３】
（付記１７）
前記漁獲証明処理装置は，
前記水産動植物の漁獲に関し，前記漁獲期間および前記漁獲場所を特定する証明情報を出力する証明発行部を備える
ことを特徴とする前記付記１４ないし前記付記１６のいずれか一項に記載の漁獲証明処理システム。
【図面の簡単な説明】
【０１２４】
【図１】本発明の最良の実施形態における構成例を示す図である。
【図２】漁獲証明処理装置および漁船端末の構成例を示す図である。
【図３】魚種漁法情報のデータ構成例を示す図である。
【図４】魚種漁法別漁獲パターン情報のデータ構成例を示す図である。
【図５】海洋状態最適範囲情報のデータ構成例を示す図である。
【図６】位置履歴情報のデータ構成例を示す図である。
【図７】操業履歴情報のデータ構成例を示す図である。
【図８】海洋状態情報取得部によって取得される海洋状態情報のデータ構造例を示す図である。
【図９】海洋状態情報の「海面水温」を，ある日時の海面水温を等温度線で表示したデータ例を示す図である。
【図１０】海洋状態情報の「クロロフィル濃度」を，ある日時のクロロフィル濃度を等濃度線で表示したデータ例を示す図である。
【図１１】漁船端末２の処理の流れを示す図である。
【図１２】証明書発行依頼画面の表示例を示す図である。
【図１３】漁獲証明処理装置の処理の流れを示す図である。
【図１４】イカ釣り漁法による漁獲の場合の証明判定処理の詳細処理フロー図である。
【図１５】最適帯の判定処理の処理フロー図である。
【図１６】魚種漁法テーブルの例を示す図である。
【図１７】漁獲パターンテーブルの例を示す図である。
【図１８】位置履歴情報の例を示す図である。
【図１９】エンジン稼働履歴情報の例を示す図である。
【図２０】漁労設備稼働履歴情報の例を示す図である。
【図２１】最適帯テーブルの例を示す図である。
【図２２】海洋状態情報の例を示す図である。
【図２３】漁獲証明書の出力例を示す図である。
【図２４】サンマ棒受け網漁法による漁獲の証明判定処理の詳細処理フロー図である。
【図２５】カツオ一本釣り漁法による漁獲の証明判定処理の詳細処理フロー図である。
【図２６】位置情報チェック処理の処理フロー図である。
【符号の説明】
【０１２５】
１  漁獲証明処理装置
１１  漁獲パターン情報データベース
１２  データ受信部
１３  魚種漁法特定部
１４  証明条件判定部
１５  証明書発行部
１６  海洋状態情報取得部
１７  位置情報チェック部
２  漁船端末
２１  ＧＰＳ受信部
２２  漁労設備制御信号取得部
２３  操業履歴情報記憶部
２４  発行依頼生成部
２５  データ送信部
３  ネットワーク
４  漁獲証明書
５  海洋状態情報データベース
６  衛星軌道情報データベース
【図１】
2008225614.tif 000003
【図２】
2008225614.tif 000004
【図３】
2008225614.tif 000005
【図４】
2008225614.tif 000006
【図５】
2008225614.tif 000007
【図６】
2008225614.tif 000008
【図７】
2008225614.tif 000009
【図８】
2008225614.tif 000010
【図９】
2008225614.tif 000011
【図１０】
2008225614.tif 000012
【図１１】
2008225614.tif 000013
【図１２】
2008225614.tif 000014
【図１３】
2008225614.tif 000015
【図１４】
2008225614.tif 000016
【図１５】
2008225614.tif 000017
【図１６】
2008225614.tif 000018
【図１７】
2008225614.tif 000019
【図１８】
2008225614.tif 000020
【図１９】
2008225614.tif 000021
【図２０】
2008225614.tif 000022
【図２１】
2008225614.tif 000023
【図２２】
2008225614.tif 000024
【図２３】
2008225614.tif 000025
【図２４】
2008225614.tif 000026
【図２５】
2008225614.tif 000027
【図２６】
2008225614.tif 000028